(57)【要約】【課題】ＰＭＩＰｖ６が適用されているＥＰＣネットワークにおける不具合を解消する。【解決手段】本発明に係る移動通信方法は、ゲートウェイ装置Ｐ-ＧＷが、ゲートウェイ装置Ｓ-ＧＷによって送信された「Ｐｒｏｘｙ  Ｂｉｎｄｉｎｇ  Ｕｐｄａｔｅ」の受信に応じて、ゲートウェイ装置Ｓ-ＧＷに対して、移動局ＵＥに対してＤＮＳｖ６アドレスを割り当てたか否かについて示す「Ｏ  Ｆｌａｇ設定情報」を含む「Ｐｒｏｘｙ  Ｂｉｎｄｉｎｇ  Ａｃｋｎｏｗｌｅｄｇｅｍｅｎｔ」を送信する工程と、ゲートウェイ装置Ｓ-ＧＷが、受信した「Ｏ  Ｆｌａｇ設定情報」によって移動局ＵＥに対してＤＮＳｖ６アドレスを割り当てたことが示されている場合に、移動局ＵＥに対して、ＲＡの「Ｏ  Ｆｌａｇ」によって、ＤＨＣＰ要求信号を用いてＤＮＳｖ６アドレスを取得する必要がないと指示する工程とを有する。【選択図】図５
2011217114.tif 000002
【特許請求の範囲】
【請求項１】
第１ゲートウェイ装置が、移動局によって送信された接続要求を受信した場合に、第２ゲートウェイ装置に対して、所定信号を送信する工程Ａと、
前記第２ゲートウェイ装置が、前記所定信号の受信に応じて、前記第１ゲートウェイ装置に対して、前記移動局に対してＤＮＳアドレス情報を割り当てたか否かについて示す設定情報を含む応答信号を送信する工程Ｂと、
前記第１ゲートウェイ装置が、受信した前記設定情報によって前記移動局に対してＤＮＳアドレス情報を割り当てたことが示されている場合に、該移動局に対して、ＤＨＣＰ要求信号を用いてＤＮＳアドレス情報を取得する必要がないと指示する工程Ｃとを有することを特徴とする移動通信方法。
【請求項２】
前記工程Ｃにおいて、前記第１ゲートウェイ装置は、受信した前記応答信号内に前記設定情報が含まれていない場合、前記移動局に対して、前記ＤＨＣＰ要求信号を用いてＤＮＳアドレス情報を取得するように指示することを特徴とする請求項１に記載の移動通信方法。
【請求項３】
第１ゲートウェイ装置が、移動局によって送信された接続要求を受信した場合に、第２ゲートウェイ装置に対して、所定信号を送信する工程Ａと、
前記第２ゲートウェイ装置が、前記第１ゲートウェイ装置に対して、受信した前記所定信号に対する応答信号を送信する工程Ｂと、
前記第１ゲートウェイ装置が、受信した前記応答信号内にＤＮＳアドレス情報が含まれている場合に、前記移動局に対して、ＤＨＣＰ要求信号を用いてＤＮＳアドレス情報を取得する必要がないと指示する工程Ｃとを有することを特徴とする移動通信方法。
【請求項４】
第１ゲートウェイ装置に接続される第２ゲートウェイ装置として機能するゲートウェイ装置であって、
前記第１ゲートウェイ装置から、所定信号を受信するように構成されている所定信号受信部と、
前記所定信号の受信に応じて、前記第１ゲートウェイ装置に対して、前記移動局に対してＤＮＳアドレス情報を割り当てたか否かについて示す設定情報を含む応答信号を送信するように構成されている応答信号送信部とを具備することを特徴とするゲートウェイ装置。
【請求項５】
第２ゲートウェイ装置に接続される第１ゲートウェイ装置として機能するゲートウェイ装置であって、
移動局によって送信された接続要求を受信した場合に、第２ゲートウェイ装置に対して、所定信号を送信するように構成されている所定信号送信部と、
前記第２ゲートウェイ装置から受信した前記所定信号に対する応答信号内に含まれる設定情報によって前記移動局に対してＤＮＳアドレス情報を割り当てたことが示されている場合に、該移動局に対して、ＤＨＣＰ要求信号を用いてＤＮＳアドレス情報を取得する必要がないと指示するように構成されている指示部とを具備することを特徴とするゲートウェイ装置。
【請求項６】
前記指示部は、受信した前記応答信号内に前記設定情報が含まれていない場合、前記移動局に対して、前記ＤＨＣＰ要求信号を用いてＤＮＳアドレス情報を取得するように指示するように構成されていることを特徴とする請求項５に記載のゲートウェイ装置。
【請求項７】
第２ゲートウェイ装置に接続される第１ゲートウェイ装置として機能するゲートウェイ装置であって、
移動局によって送信された接続要求を受信した場合に、第２ゲートウェイ装置に対して、所定信号を送信するように構成されている所定信号送信部と、
前記第２ゲートウェイ装置から受信した前記所定信号に対する応答信号内にＤＮＳアドレス情報が含まれている場合に、前記移動局に対して、ＤＨＣＰ要求信号を用いてＤＮＳアドレス情報を取得する必要がないと指示するように構成されている指示部とを具備することを特徴とするゲートウェイ装置。
【発明の詳細な説明】
【技術分野】
【０００１】
本発明は、移動通信方法及びゲートウェイ装置に関する。
【背景技術】
【０００２】
３ＧＰＰ規格ＴＳ２３.４０１/ＴＳ２３.４０２/ＴＳ２４.００８には、移動局ＵＥに対して、ＤＮＳｖ６（Ｄｏｍａｉｎ  Ｎａｍｅ  Ｓｙｓｔｅｍ  ｖｅｒｓｉｏｎ  ６）のＩＰアドレス（以下、ＤＮＳｖ６アドレス）を通知する方法が知られている。
【０００３】
かかる方法によれば、図１０に示すように、移動局ＵＥとゲートウェイ装置Ｐ-ＧＷ（ＰＤＮ  Ｇａｔｅｗａｙ）との間で送受信されるＰＣＯ（Ｐｒｏｔｏｃｏｌ  Ｃｏｎｆｉｇｕｒａｔｉｏｎ  Ｏｐｔｉｏｎ）によって、ゲートウェイ装置Ｐ-ＧＷが、移動局ＵＥに対して、ＤＮＳｖ６アドレスを通知するように構成されている。
【０００４】
また、３ＧＰＰ規格ＴＳ２３.４０１に記載されているＧＴＰ（ＧＰＲＳ  Ｔｕｎｎｅｌｉｎｇ  Ｐｒｏｔｏｃｏｌ）が適用されているＥＰＣ（Ｅｖｏｌｖｅｄ  Ｐａｃｋｅｔ  Ｃｏｒｅ）ネットワークでは、ゲートウェイ装置Ｐ-ＧＷが、移動局ＵＥに対して、ＲＡ（Ｒｏｕｔｉｎｇ  Ａｄｖｅｒｔｉｓｅｍｅｎｔ）を通知するように構成されている（不図示）。
【０００５】
したがって、ゲートウェイ装置Ｐ-ＧＷは、ＰＣＯによって、移動局ＵＥに対して、ＤＮＳｖ６アドレスを通知しなかった場合には、ＲＡの「Ｏ  Ｆｌａｇ」を「ＯＮ」に設定する。
【０００６】
ここで、移動局ＵＥは、「Ｏ  Ｆｌａｇ」が「ＯＮ」に設定されているＲＡを受信した場合には、ＤＨＣＰｖ６（Ｄｙｎａｍｉｃ  Ｈｏｓｔ  Ｃｏｎｆｉｇｕｒａｔｉｏｎ  Ｐｒｏｔｏｃｏｌ  ｖｅｒｓｉｏｎ  ６）によって、ＤＮＳｖ６アドレスを取得するように構成されている（ＲＦＣ４８６１参照）。
【０００７】
一方、３ＧＰＰ規格ＴＳ２３.４０２に記載されているＰＭＩＰｖ６（Ｐｒｏｘｙ  Ｍｏｂｉｌｅ  ＩＰ  ｖｅｒｓｉｏｎ  ６）が適用されているＥＰＣネットワークでは、図１１に示すように、ゲートウェイ装置Ｓ-ＧＷが、移動局ＵＥに対して、ＲＡを通知するように構成されている。
【先行技術文献】
【非特許文献】
【０００８】
【非特許文献１】３ＧＰＰ  ＴＳ２３.４０１
【非特許文献２】３ＧＰＰ  ＴＳ２３.４０２
【非特許文献３】３ＧＰＰ  ＴＳ２４.００８
【発明の概要】
【発明が解決しようとする課題】
【０００９】
ＰＭＩＰｖ６が適用されているＥＰＣネットワークでは、ゲートウェイ装置Ｓ-ＧＷは、ゲートウェイ装置Ｐ-ＧＷがＰＣＯによって移動局ＵＥに対してＤＮＳｖ６アドレスを割り当て通知したか否かについて知るための手段を有していない。
【００１０】
したがって、ゲートウェイ装置Ｓ-ＧＷによって送信されるＲＡの「Ｏ  Ｆｌａｇ」の設定は、事前のネットワーク設定等によって決定されることになる。
【００１１】
一般的に、ＰＣＯを用いたＤＮＳｖ６アドレスの通知は、オプショナルな機能であるため、ＲＡの「Ｏ  Ｆｌａｇ」は、常に「ＯＮ」に設定されることが想定される。
【００１２】
かかる場合、図１２に示すように、ゲートウェイ装置Ｐ-ＧＷが、ＰＣＯによって移動局ＵＥに対してＤＮＳｖ６アドレスを通知しているにも関わらず、移動局ＵＥは、その後に受信した「ＯＮ」に設定されている「Ｏ  Ｆｌａｇ」に従って、ＤＨＣＰｖ６によって、ＤＮＳｖ６アドレスを取得しようと試みるため、不要なＤＨＣＰ手順が実施されることになり、無線リソース及びネットワークリソースを無駄に消費してしまうという問題点があった。
【００１３】
また、図１２に示すように、移動局ＵＥが、データカード型であり、ＰＣ（Ｐｅｒｓｏｎａｌ  Ｃｏｍｐｕｔｅｒ）等に接続されている場合、ＰＣは、ＲＡを受信して、かかるＲＡ内の「Ｏ  Ｆｌａｇ」に基づいて、ＤＨＣＰ手順を実施するように構成されている。
【００１４】
したがって、ＰＣは、移動局ＵＥによって通知されたＤＮＳｖ６アドレス（ＰＣＯによって移動局ＵＥがゲートウェイ装置Ｐ-ＧＷより受信したＤＮＳｖ６アドレス）と異なるＤＮＳｖ６アドレスを、ＤＨＣＰ手順で取得してしまう可能性があるという問題点があった。
【００１５】
また、図１２に示すように、ゲートウェイ装置Ｐ-ＧＷが、移動局ＵＥからのＤＨＣＰ要求信号の受信に備えて、各移動局ＵＥに対して割り当てたＤＮＳｖ６アドレスを管理しなければならないという問題点があった。
【００１６】
そこで、本発明は、上述の課題に鑑みてなされたものであり、上述したＰＭＩＰｖ６が適用されているＥＰＣネットワークにおける不具合を解消することができる移動通信方法及びゲートウェイ装置を提供することを目的とする。
【課題を解決するための手段】
【００１７】
本発明の第１の特徴は、第１ゲートウェイ装置が、移動局によって送信された接続要求を受信した場合に、第２ゲートウェイ装置に対して、所定信号を送信する工程Ａと、前記第２ゲートウェイ装置が、前記所定信号の受信に応じて、前記第１ゲートウェイ装置に対して、前記移動局に対してＤＮＳアドレス情報を割り当てたか否かについて示す設定情報を含む応答信号を送信する工程Ｂと、前記第１ゲートウェイ装置が、受信した前記設定情報によって前記移動局に対してＤＮＳアドレス情報を割り当てたことが示されている場合に、該移動局に対して、ＤＨＣＰ要求信号を用いてＤＮＳアドレス情報を取得する必要がないことを指示する工程Ｃとを有することを要旨とする。
【００１８】
本発明の第２の特徴は、第１ゲートウェイ装置が、移動局によって送信された接続要求を受信した場合に、第２ゲートウェイ装置に対して、所定信号を送信する工程Ａと、前記第２ゲートウェイ装置が、前記第１ゲートウェイ装置に対して、受信した前記所定信号に対する応答信号を送信する工程Ｂと、前記第１ゲートウェイ装置が、受信した前記応答信号内にＤＮＳアドレス情報が含まれている場合に、前記移動局に対して、ＤＨＣＰ要求信号を用いてＤＮＳアドレス情報を取得する必要がないと指示する工程Ｃとを有することを要旨とする。
【００１９】
本発明の第３の特徴は、第１ゲートウェイ装置に接続される第２ゲートウェイ装置として機能するゲートウェイ装置であって、前記第１ゲートウェイ装置から、所定信号を受信するように構成されている所定信号受信部と、前記所定信号の受信に応じて、前記第１ゲートウェイ装置に対して、前記移動局に対してＤＮＳアドレス情報を割り当てたか否かについて示す設定情報を含む応答信号を送信するように構成されている応答信号送信部とを具備することを要旨とする。
【００２０】
本発明の第４の特徴は、第２ゲートウェイ装置に接続される第１ゲートウェイ装置として機能するゲートウェイ装置であって、移動局によって送信された接続要求を受信した場合に、第２ゲートウェイ装置に対して、所定信号を送信するように構成されている所定信号送信部と、前記第２ゲートウェイ装置から受信した前記所定信号に対する応答信号内に含まれる設定情報によって前記移動局に対してＤＮＳアドレス情報を割り当てたことが示されている場合に、該移動局に対して、ＤＨＣＰ要求信号を用いてＤＮＳアドレス情報を取得する必要がないと指示するように構成されている指示部とを具備することを要旨とする。
【００２１】
本発明の第５の特徴は、第２ゲートウェイ装置に接続される第１ゲートウェイ装置として機能するゲートウェイ装置であって、移動局によって送信された接続要求を受信した場合に、第２ゲートウェイ装置に対して、所定信号を送信するように構成されている所定信号送信部と、前記第２ゲートウェイ装置から受信した前記所定信号に対する応答信号内にＤＮＳアドレス情報が含まれている場合に、前記移動局に対して、ＤＨＣＰ要求信号を用いてＤＮＳアドレス情報を取得する必要がないと指示するように構成されている指示部とを具備することを要旨とする。
【発明の効果】
【００２２】
以上説明したように、本発明によれば、上述したＰＭＩＰｖ６が適用されているＥＰＣネットワークにおける不具合を解消することができる移動通信方法及びゲートウェイ装置を提供することができる。
【図面の簡単な説明】
【００２３】
【図１】本発明の第１の実施形態に係る移動通信システムの全体構成図である。
【図２】本発明の第１の実施形態に係るゲートウェイ装置Ｐ-ＧＷの機能ブロック図である。
【図３】本発明の第１の実施形態に係るゲートウェイ装置Ｐ-ＧＷによって送信される「Ｐｒｏｘｙ  Ｂｉｎｄｉｎｇ  Ａｃｋｎｏｗｌｅｄｇｅｍｅｎｔ」内に「Ｍｏｂｉｌｉｔｙ  Ｏｐｔｉｏｎ」として挿入可能な情報要素の一例を示す図である。
【図４】本発明の第１の実施形態に係るゲートウェイ装置Ｓ-ＧＷの機能ブロック図である。
【図５】本発明の第１の実施形態に係る移動通信システムの動作について説明するための図である。
【図６】本発明の第１の実施形態に係るゲートウェイ装置Ｐ-ＧＷの動作について説明するためのフローチャートである。
【図７】本発明の第１の実施形態に係るゲートウェイ装置Ｓ-ＧＷの動作について説明するためのフローチャートである。
【図８】本発明の第２の実施形態に係る移動通信システムの動作について説明するための図である。
【図９】本発明の第２の実施形態に係るゲートウェイ装置Ｓ-ＧＷの動作について説明するためのフローチャートである。
【図１０】従来の移動通信システムの動作について説明するための図である。
【図１１】従来の移動通信システムの動作について説明するための図である。
【図１２】従来の移動通信システムの問題点について説明するための図である。
【発明を実施するための形態】
【００２４】
（本発明の第１の実施形態に係る移動通信システム）
図１乃至図７を参照して、本発明の第１の実施形態に係る移動通信システムについて説明する。
【００２５】
図１に示すように、本実施形態に係る移動通信システムは、ＬＴＥ（Ｌｏｎｇ  Ｔｅｒｍ  Ｅｖｏｌｕｔｉｏｎ）方式の無線アクセスシステム（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）と、移動管理ノードＭＭＥ（Ｍｏｂｉｌｉｔｙ  Ｍａｎａｇｅｍｅｎｔ  Ｅｎｔｉｔｙ）と、ゲートウェイ装置Ｓ-ＧＷと、ゲートウェイ装置Ｐ-ＧＷと、ＤＮＳサーバとを具備している。
【００２６】
なお、本実施形態に係る移動通信システムは、ＰＭＩＰｖ６が適用されているＥＰＣネットワークにおける移動通信システムである。
【００２７】
また、本発明は、他の無線アクセスシステム（例えば、３ＧＰＰ２方式の無線アクセスシステムやＷＬＡＮ方式の無線アクセスシステム）を収容し、ＰＭＩＰｖ６を適用するＥＰＣネットワークに対しても適用可能である。
【００２８】
図２に示すように、ゲートウェイ装置Ｐ-ＧＷは、Ｐｒｏｘｙ  Ｂｉｎｄｉｎｇ  Ｕｐｄａｔｅ受信部１１と、Ｐｒｏｘｙ  Ｂｉｎｄｉｎｇ  Ａｃｋｎｏｗｌｅｄｇｅｍｅｎｔ送信部１２と、ＤＨＣＰ要求信号受信部１３と、ＤＨＣＰ応答信号送信部１４とを具備している。
【００２９】
Ｐｒｏｘｙ  Ｂｉｎｄｉｎｇ  Ｕｐｄａｔｅ受信部１１は、ゲートウェイ装置Ｓ-ＧＷから、「Ｐｒｏｘｙ  Ｂｉｎｄｉｎｇ  Ｕｐｄａｔｅ」を受信するように構成されている。
【００３０】
Ｐｒｏｘｙ  Ｂｉｎｄｉｎｇ  Ａｃｋｎｏｗｌｅｄｇｅｍｅｎｔ送信部１２は、「Ｐｒｏｘｙ  Ｂｉｎｄｉｎｇ  Ｕｐｄａｔｅ」の受信に応じて、ゲートウェイ装置Ｓ-ＧＷに対して、ＰＣＯによって移動局ＵＥに対してＤＮＳｖ６アドレスを割り当てたか否かについて示す「Ｏ  Ｆｌａｇ設定情報」を含む「Ｐｒｏｘｙ  Ｂｉｎｄｉｎｇ  Ａｃｋｎｏｗｌｅｄｇｅｍｅｎｔ」を送信するように構成されている。
【００３１】
例えば、Ｐｒｏｘｙ  Ｂｉｎｄｉｎｇ  Ａｃｋｎｏｗｌｅｄｇｅｍｅｎｔ送信部１２は、図３に示すように、３ＧＰＰ規格ＴＳ２９.２７５のＴａｂｌｅ５.１.１.２-２における「Ｐｒｏｘｙ  Ｂｉｎｄｉｎｇ  Ａｃｋｎｏｗｌｅｄｇｅｍｅｎｔ」内に「Ｍｏｂｉｌｉｔｙ  Ｏｐｔｉｏｎ」として挿入可能な情報要素、例えば、「ＤＮＳｖ６  Ａｄｄｒｅｓｓ  Ａｌｌｏｃａｔｉｏｎ  Ｉｎｄｉｃａｔｉｏｎ」によって、「Ｏ  Ｆｌａｇ設定情報」を送信するように構成されていてもよい。
【００３２】
ここで、Ｐｒｏｘｙ  Ｂｉｎｄｉｎｇ  Ａｃｋｎｏｗｌｅｄｇｅｍｅｎｔ送信部１２は、ＰＣＯによって移動局ＵＥに対してＤＮＳｖ６アドレスが割り当てられている場合、「Ｏ  Ｆｌａｇ設定情報」に「不要」を設定してもよい。
【００３３】
一方、Ｐｒｏｘｙ  Ｂｉｎｄｉｎｇ  Ａｃｋｎｏｗｌｅｄｇｅｍｅｎｔ送信部１２は、ＰＣＯによって移動局ＵＥに対してＤＮＳｖ６アドレスが割り当てられていない場合、「Ｏ  Ｆｌａｇ設定情報」に「要」を設定してもよい。
【００３４】
なお、Ｐｒｏｘｙ  Ｂｉｎｄｉｎｇ  Ａｃｋｎｏｗｌｅｄｇｅｍｅｎｔ送信部１２は、ＰＣＯによって移動局ＵＥに対してＤＮＳｖ６アドレスが割り当てられていない場合、「Ｐｒｏｘｙ  Ｂｉｎｄｉｎｇ  Ａｃｋｎｏｗｌｅｄｇｅｍｅｎｔ」に「Ｏ  Ｆｌａｇ設定情報」を含めなくてもよい。
【００３５】
また、Ｐｒｏｘｙ  Ｂｉｎｄｉｎｇ  Ａｃｋｎｏｗｌｅｄｇｅｍｅｎｔ送信部１２は、ＡＰＮごとに、「Ｏ  Ｆｌａｇ設定情報」に「要」又は「不要」のどちらを設定すべきか判断してもよい。
【００３６】
例えば、移動局ＵＥが、特定のＡＰＮ宛ての接続要求を送信した場合には、Ｐｒｏｘｙ  Ｂｉｎｄｉｎｇ  Ａｃｋｎｏｗｌｅｄｇｅｍｅｎｔ送信部１２は、常時、「Ｏ  Ｆｌａｇ設定情報」に「要」又は「不要」のどちらを設定するように構成されていてもよい。
【００３７】
ＤＨＣＰ要求信号受信部１３は、移動局ＵＥによって送信されたＤＮＳ情報要求を含むＤＨＣＰ要求信号を受信するように構成されている。
【００３８】
ＤＨＣＰ応答信号送信部１４は、ＤＨＣＰ要求信号受信部１３によって受信されたＤＮＳ情報要求を含むＤＨＣＰ要求信号に応じて、移動局ＵＥに対して、ＤＮＳ情報（ＤＮＳｖ６アドレス）を含むＤＨＣＰ応答信号を送信するように構成されている。
【００３９】
図４に示すように、ゲートウェイ装置Ｓ-ＧＷは、接続要求受信部２１と、Ｐｒｏｘｙ  Ｂｉｎｄｉｎｇ  Ｕｐｄａｔｅ送信部２２と、Ｐｒｏｘｙ  Ｂｉｎｄｉｎｇ  Ａｃｋｎｏｗｌｅｄｇｅｍｅｎｔ受信部２３と、接続応答送信部２４と、ＲＡ送信部２５とを具備している。
【００４０】
接続要求受信部２１は、移動管理ノードＭＭＥを介して、移動局ＵＥによって送信された接続要求（例えば、Ａｔｔａｃｈ  Ｒｅｑｕｅｓｔ等）を受信するように構成されている。
【００４１】
Ｐｒｏｘｙ  Ｂｉｎｄｉｎｇ  Ｕｐｄａｔｅ送信部２２は、接続要求受信部２１によって接続要求が受信された場合に、ゲートウェイ装置Ｐ-ＧＷに対して、「Ｐｒｏｘｙ  Ｂｉｎｄｉｎｇ  Ｕｐｄａｔｅ」を送信するように構成されている。
【００４２】
Ｐｒｏｘｙ  Ｂｉｎｄｉｎｇ  Ａｃｋｎｏｗｌｅｄｇｅｍｅｎｔ受信部２３は、ゲートウェイ装置Ｐ-ＧＷによって送信された「Ｐｒｏｘｙ  Ｂｉｎｄｉｎｇ  Ａｃｋｎｏｗｌｅｄｇｅｍｅｎｔ」を受信するように構成されている。
【００４３】
接続応答送信部２４は、Ｐｒｏｘｙ  Ｂｉｎｄｉｎｇ  Ａｃｋｎｏｗｌｅｄｇｅｍｅｎｔ受信部２３によって「Ｐｒｏｘｙ  Ｂｉｎｄｉｎｇ  Ａｃｋｎｏｗｌｅｄｇｅｍｅｎｔ」が受信された場合に、移動管理ノードＭＭＥを介して、移動局ＵＥに対して、接続応答（例えば、Ａｔｔａｃｈ  Ａｃｃｅｐｔ等）を送信するように構成されている。
【００４４】
ＲＡ送信部２５は、Ｐｒｏｘｙ  Ｂｉｎｄｉｎｇ  Ａｃｋｎｏｗｌｅｄｇｅｍｅｎｔ受信部２３によって「Ｐｒｏｘｙ  Ｂｉｎｄｉｎｇ  Ａｃｋｎｏｗｌｅｄｇｅｍｅｎｔ」が受信された場合に、移動局ＵＥに対して、「ＯＮ」又は「ＯＦＦ」に設定した「Ｏ  Ｆｌａｇ」を含むＲＡを送信するように構成されている。
【００４５】
例えば、ＲＡ送信部２５は、移動局ＵＥに対して、「ＯＮ」に設定した「Ｏ  Ｆｌａｇ」を含むＲＡを送信することによって、ＤＨＣＰ要求信号を用いてＤＮＳｖ６アドレスを取得するように指示することができる。
【００４６】
一方、ＲＡ送信部２５は、移動局ＵＥに対して、「ＯＦＦ」に設定した「Ｏ  Ｆｌａｇ」を含むＲＡを送信することによって、ＤＨＣＰ要求信号を用いてＤＮＳｖ６アドレスを取得する必要がないと指示することができる。
【００４７】
ここで、ＲＡ送信部２５は、Ｐｒｏｘｙ  Ｂｉｎｄｉｎｇ  Ａｃｋｎｏｗｌｅｄｇｅｍｅｎｔ受信部２３によって受信された「Ｐｒｏｘｙ  Ｂｉｎｄｉｎｇ  Ａｃｋｎｏｗｌｅｄｇｅｍｅｎｔ」に含まれている「Ｏ  Ｆｌａｇ設定情報」に基づいて、ＲＡの「Ｏ  Ｆｌａｇ」を「ＯＮ」又は「ＯＦＦ」のどちらに設定すべきか決定するように構成されている。
【００４８】
例えば、かかる「Ｏ  Ｆｌａｇ設定情報」に「要」が設定されている場合、ＲＡ送信部２５は、「Ｏ  Ｆｌａｇ」を「ＯＮ」に設定するように構成されていてもよい。
【００４９】
一方、かかる「Ｏ  Ｆｌａｇ設定情報」に「不要」が設定されている場合、ＲＡ送信部２５は、「Ｏ  Ｆｌａｇ」を「ＯＦＦ」に設定するように構成されていてもよい。
【００５０】
なお、ＲＡ送信部２５は、Ｐｒｏｘｙ  Ｂｉｎｄｉｎｇ  Ａｃｋｎｏｗｌｅｄｇｅｍｅｎｔ受信部２３によって受信された「Ｐｒｏｘｙ  Ｂｉｎｄｉｎｇ  Ａｃｋｎｏｗｌｅｄｇｅｍｅｎｔ」内に「Ｏ  Ｆｌａｇ設定情報」が含まれていない場合、移動局ＵＥに対して、「Ｏ  Ｆｌａｇ」を「ＯＦＦ」に設定するように構成されていてもよい。
【００５１】
以下、図５乃至図７を参照して、本実施形態に係る移動通信システムの動作について説明する。
【００５２】
第１に、図５を参照して、本実施形態に係る移動通信システムにおいて、移動局ＵＥが接続要求を送信する際の動作について説明する。
【００５３】
図５に示すように、ステップＳ１００１において、移動局ＵＥが、移動管理ノードＭＭＥを介して、ゲートウェイ装置Ｓ-ＧＷに対して、接続要求を送信すると、ステップＳ１００２において、かかる接続要求を受信したゲートウェイ装置Ｓ-ＧＷは、ゲートウェイ装置Ｐ-ＧＷに対して、「Ｐｒｏｘｙ  Ｂｉｎｄｉｎｇ  Ｕｐｄａｔｅ」を送信する。
【００５４】
ステップＳ１００３において、ゲートウェイ装置Ｐ-ＧＷは、「Ｏ  Ｆｌａｇ設定情報」に「要」又は「不要」のいずれかを設定した後、ゲートウェイ装置Ｓ-ＧＷに対して、かかる「Ｏ  Ｆｌａｇ設定情報」を含む「Ｐｒｏｘｙ  Ｂｉｎｄｉｎｇ  Ａｃｋｎｏｗｌｅｄｇｅｍｅｎｔ」を送信する。
【００５５】
ステップＳ１００４において、かかる「Ｐｒｏｘｙ  Ｂｉｎｄｉｎｇ  Ａｃｋｎｏｗｌｅｄｇｅｍｅｎｔ」を受信したゲートウェイ装置Ｓ-ＧＷは、移動管理ノードＭＭＥを介して、移動局ＵＥに対して、接続応答を送信する。
【００５６】
ステップＳ１００５において、ゲートウェイ装置Ｓ-ＧＷは、「Ｏ  Ｆｌａｇ」を「ＯＮ」又は「ＯＦＦ」のいずれかに設定した後、移動局ＵＥに対して、かかる「Ｏ  Ｆｌａｇ」を含むＲＡを送信する。
【００５７】
移動局ＵＥは、受信したＲＡに含まれる「Ｏ  Ｆｌａｇ」が「ＯＮ」に設定されている場合、ステップＳ１００６において、ゲートウェイ装置Ｐ-ＧＷに対して、ＤＮＳ情報要求を含むＤＨＣＰ要求信号を送信する。
【００５８】
ここで、移動局ＵＥは、受信したＲＡに含まれる「Ｏ  Ｆｌａｇ」が「ＯＦＦ」に設定されている場合、ゲートウェイ装置Ｐ-ＧＷに対して、ＤＮＳ情報要求を含むＤＨＣＰ要求信号を送信しない。
【００５９】
ステップＳ１００７において、ゲートウェイ装置Ｐ-ＧＷは、移動局ＵＥに対して、ＤＮＳ情報（ＤＮＳｖ６アドレス）を含むＤＨＣＰ応答信号を送信する。
【００６０】
第２に、図６を参照して、本実施形態に係るゲートウェイ装置Ｐ-ＧＷの動作について説明する。
【００６１】
図６に示すように、ゲートウェイ装置Ｐ-ＧＷは、ステップＳ１０１において、「Ｐｒｏｘｙ  Ｂｉｎｄｉｎｇ  Ｕｐｄａｔｅ」を受信すると、ステップＳ１０２において、移動局ＵＥに対してＰＣＯによってＤＮＳｖ６アドレスを割り当てたか否かについて判定する。
【００６２】
移動局ＵＥに対してＰＣＯによってＤＮＳｖ６アドレスが割り当てられている場合、ステップＳ１０３において、ゲートウェイ装置Ｐ-ＧＷは、「Ｏ  Ｆｌａｇ設定情報」に「不要」を設定する。
【００６３】
一方、移動局ＵＥに対してＰＣＯによってＤＮＳｖ６アドレスが割り当てられていない場合、ステップＳ１０４において、ゲートウェイ装置Ｐ-ＧＷは、「Ｏ  Ｆｌａｇ設定情報」に「要」を設定する。
【００６４】
なお、ステップＳ１０２において、ゲートウェイ装置Ｐ-ＧＷは、移動局ＵＥが接続要求をしたＡＰＮごとに、「Ｏ  Ｆｌａｇ設定情報」に「要」又は「不要」のどちらを設定すべきかについて判断してもよい。
【００６５】
第３に、図７を参照して、本実施形態に係るゲートウェイ装置Ｓ-ＧＷの動作について説明する。
【００６６】
図７に示すように、ゲートウェイ装置Ｓ-ＧＷは、ステップＳ２０１において、「Ｐｒｏｘｙ  Ｂｉｎｄｉｎｇ  Ａｃｋｎｏｗｌｅｄｇｅｍｅｎｔ」を受信すると、ステップＳ２０２において、受信した「Ｐｒｏｘｙ  Ｂｉｎｄｉｎｇ  Ａｃｋｎｏｗｌｅｄｇｅｍｅｎｔ」内に含まれている「Ｏ  Ｆｌａｇ設定情報」の設定内容を判定する。
【００６７】
かかる「Ｏ  Ｆｌａｇ設定情報」に「要」が設定されている場合、ステップＳ２０３において、ゲートウェイ装置Ｓ-ＧＷは、送信するＲＡの「Ｏ  Ｆｌａｇ」を「ＯＮ」に設定する。
【００６８】
一方、かかる「Ｏ  Ｆｌａｇ設定情報」に「不要」が設定されている場合、ステップＳ２０４において、ゲートウェイ装置Ｓ-ＧＷは、送信するＲＡの「Ｏ  Ｆｌａｇ」を「ＯＦＦ」に設定する。
【００６９】
なお、ステップＳ２０２において、受信した「Ｐｒｏｘｙ  Ｂｉｎｄｉｎｇ  Ａｃｋｎｏｗｌｅｄｇｅｍｅｎｔ」内に「Ｏ  Ｆｌａｇ設定情報」が含まれていない場合、ゲートウェイ装置Ｓ-ＧＷは、送信するＲＡの「Ｏ  Ｆｌａｇ」を「ＯＦＦ」に設定してもよい。  本実施形態に係る移動通信システムによれば、移動局ＵＥに対してＰＣＯによってＤＮＳｖ６アドレスが割り当てられて通知されている場合には、ゲートウェイ装置Ｓ-ＧＷが、ＲＡの「Ｏ  Ｆｌａｇ」を「ＯＦＦ」に設定することができる。
【００７０】
したがって、本実施形態に係る移動通信システムによれば、ＰＭＩＰｖ６が適用されているＥＰＣネットワークにおいて、不要なＤＨＣＰ手順の実施を回避することができ、無線リソース及びネットワークリソースの無駄な消費を回避することができる。
【００７１】
また、本実施形態に係る移動通信システムによれば、移動局ＵＥが、データカード型であり、ＰＣ等に接続されている場合であっても、ＰＣが、移動局ＵＥによって送信されるＤＮＳｖ６アドレス（ＰＣＯによって受信されたＤＮＳｖ６アドレス）と異なるＤＮＳｖ６アドレスをＤＨＣＰ手順で取得してしまうという現象を回避することができる。
【００７２】
さらに、本実施形態に係る移動通信システムによれば、ゲートウェイ装置Ｐ-ＧＷが、移動局ＵＥからのＤＨＣＰ要求信号の受信に備えて、各移動局ＵＥに対して割り当てたＤＮＳｖ６アドレスを管理する必要がない。
【００７３】
（第２の実施形態に係る移動通信システム）
図８及び図９を参照して、本発明の第２の実施形態に係る移動通信システムについて説明する。以下、本実施形態に係る移動通信システムについて、上述の第１の実施形態に係る移動通信システムとの相違点に着目して説明する。
【００７４】
第１に、図８を参照して、本実施形態に係る移動通信システムにおいて、移動局ＵＥが接続要求を送信する際の動作について説明する。
【００７５】
図８に示すように、ステップＳ２００１において、移動局ＵＥが、移動管理ノードＭＭＥを介して、ゲートウェイ装置Ｓ-ＧＷに対して、接続要求を送信すると、ステップＳ２００２において、かかる接続要求を受信したゲートウェイ装置Ｓ-ＧＷは、ゲートウェイ装置Ｐ-ＧＷに対して、「Ｐｒｏｘｙ  Ｂｉｎｄｉｎｇ  Ｕｐｄａｔｅ」を送信する。
【００７６】
ステップＳ２００３において、ゲートウェイ装置Ｐ-ＧＷのＰｒｏｘｙ  Ｂｉｎｄｉｎｇ  Ａｃｋｎｏｗｌｅｄｇｅｍｅｎｔ送信部１２は、ゲートウェイ装置Ｓ-ＧＷに対して、かかる「Ｏ  Ｆｌａｇ設定情報」を含まない「Ｐｒｏｘｙ  Ｂｉｎｄｉｎｇ  Ａｃｋｎｏｗｌｅｄｇｅｍｅｎｔ」を送信する。
【００７７】
ステップＳ２００４において、かかる「Ｐｒｏｘｙ  Ｂｉｎｄｉｎｇ  Ａｃｋｎｏｗｌｅｄｇｅｍｅｎｔ」を受信したゲートウェイ装置Ｓ-ＧＷは、移動管理ノードＭＭＥを介して、移動局ＵＥに対して、接続応答を送信する。
【００７８】
ステップＳ２００５において、ゲートウェイ装置Ｓ-ＧＷのＰｒｏｘｙ  Ｂｉｎｄｉｎｇ  Ａｃｋｎｏｗｌｅｄｇｅｍｅｎｔ受信部２３は、「Ｐｒｏｘｙ  Ｂｉｎｄｉｎｇ  Ａｃｋｎｏｗｌｅｄｇｅｍｅｎｔ」の中身を解析し、かかる「Ｐｒｏｘｙ  Ｂｉｎｄｉｎｇ  Ａｃｋｎｏｗｌｅｄｇｅｍｅｎｔ」内にＤＮＳｖ６アドレスが含まれているか否かについて判定する。
【００７９】
具体的には、ゲートウェイ装置Ｓ-ＧＷのＰｒｏｘｙ  Ｂｉｎｄｉｎｇ  Ａｃｋｎｏｗｌｅｄｇｅｍｅｎｔ受信部２３は、「Ｐｒｏｘｙ  Ｂｉｎｄｉｎｇ  Ａｃｋｎｏｗｌｅｄｇｅｍｅｎｔ」内に「ＰＣＯ（ＤＮＳ  Ｓｅｒｖｅｒ  ＩＰｖ６Ａｄｄｒｅｓｓ）」が含まれているか否かについて判定する。
【００８０】
そして、ゲートウェイ装置Ｓ-ＧＷのＲＡ送信部２５は、かかる判定結果に基づいて、「Ｏ  Ｆｌａｇ」を「ＯＮ」又は「ＯＦＦ」のいずれかに設定した後、移動局ＵＥに対して、かかる「Ｏ  Ｆｌａｇ」を含むＲＡを送信する。
【００８１】
すなわち、ゲートウェイ装置Ｓ-ＧＷのＲＡ送信部２５は、Ｐｒｏｘｙ  Ｂｉｎｄｉｎｇ  Ａｃｋｎｏｗｌｅｄｇｅｍｅｎｔ」内にＤＮＳｖ６アドレスが含まれていると判定した場合、「Ｏ  Ｆｌａｇ」を「ＯＦＦ」に設定する。
【００８２】
一方、ゲートウェイ装置Ｓ-ＧＷのＲＡ送信部２５は、Ｐｒｏｘｙ  Ｂｉｎｄｉｎｇ  Ａｃｋｎｏｗｌｅｄｇｅｍｅｎｔ」内にＤＮＳｖ６アドレスが含まれていないと判定した場合、「Ｏ  Ｆｌａｇ」を「ＯＮ」に設定する。
【００８３】
移動局ＵＥは、受信したＲＡに含まれる「Ｏ  Ｆｌａｇ」が「ＯＮ」に設定されている場合、ステップＳ２００６において、ゲートウェイ装置Ｐ-ＧＷに対して、ＤＮＳ情報要求を含むＤＨＣＰ要求信号を送信する。
【００８４】
ここで、移動局ＵＥは、受信したＲＡに含まれる「Ｏ  Ｆｌａｇ」が「ＯＦＦ」に設定されている場合、ゲートウェイ装置Ｐ-ＧＷに対して、ＤＮＳ情報要求を含むＤＨＣＰ要求信号を送信しない。
【００８５】
ステップＳ２００７において、ゲートウェイ装置Ｐ-ＧＷは、移動局ＵＥに対して、ＤＮＳ情報（ＤＮＳｖ６アドレス）を含むＤＨＣＰ応答信号を送信する。
【００８６】
第２に、図９を参照して、本実施形態に係るゲートウェイ装置Ｓ-ＧＷの動作について説明する。
【００８７】
図９に示すように、ゲートウェイ装置Ｓ-ＧＷは、ステップＳ３０１において、「Ｐｒｏｘｙ  Ｂｉｎｄｉｎｇ  Ａｃｋｎｏｗｌｅｄｇｅｍｅｎｔ」を受信すると、ステップＳ３０２において、受信した「Ｐｒｏｘｙ  Ｂｉｎｄｉｎｇ  Ａｃｋｎｏｗｌｅｄｇｅｍｅｎｔ」内に「ＰＣＯ（ＤＮＳ  Ｓｅｒｖｅｒ  ＩＰｖ６Ａｄｄｒｅｓｓ）」が含まれているか否かについて判定する。
【００８８】
かかる「ＰＣＯ（ＤＮＳ  Ｓｅｒｖｅｒ  ＩＰｖ６Ａｄｄｒｅｓｓ）」が含まれている場合、ステップＳ３０３において、ゲートウェイ装置Ｓ-ＧＷは、「Ｏ  Ｆｌａｇ」を「ＯＦＦ」に設定する。
【００８９】
一方、かかる「ＰＣＯ（ＤＮＳ  Ｓｅｒｖｅｒ  ＩＰｖ６Ａｄｄｒｅｓｓ）」が含まれていない場合、ステップＳ３０４において、ゲートウェイ装置Ｓ-ＧＷは、「Ｏ  Ｆｌａｇ」を「ＯＮ」に設定する。
【００９０】
以上に述べた本実施形態の特徴は、以下のように表現されていてもよい。
【００９１】
本実施形態の第１の特徴は、ゲートウェイ装置Ｓ-ＧＷ（第１ゲートウェイ装置）が、移動局ＵＥによって送信された接続要求を受信した場合に、ゲートウェイ装置Ｐ-ＧＷ（第２ゲートウェイ装置）に対して、「Ｐｒｏｘｙ  Ｂｉｎｄｉｎｇ  Ｕｐｄａｔｅ（所定信号）」を送信する工程Ａと、ゲートウェイ装置Ｐ-ＧＷが、「Ｐｒｏｘｙ  Ｂｉｎｄｉｎｇ  Ｕｐｄａｔｅ」の受信に応じて、ゲートウェイ装置Ｓ-ＧＷに対して、移動局ＵＥに対してＤＮＳｖ６アドレス（ＤＮＳアドレス情報）を割り当てたか否かについて示す「Ｏ  Ｆｌａｇ設定情報（設定情報）」を含む「Ｐｒｏｘｙ  Ｂｉｎｄｉｎｇ  Ａｃｋｎｏｗｌｅｄｇｅｍｅｎｔ（応答信号）」を送信する工程Ｂと、ゲートウェイ装置Ｓ-ＧＷが、受信した「Ｏ  Ｆｌａｇ設定情報」によって移動局ＵＥに対してＤＮＳｖ６アドレスを割り当てたことが示されている場合に、移動局ＵＥに対して、ＲＡの「Ｏ  Ｆｌａｇ」によって、ＤＨＣＰ要求信号を用いてＤＮＳｖ６アドレスを取得する必要がないと指示する工程Ｃとを有することを要旨とする。
【００９２】
本実施形態の第１の特徴において、工程Ｃにおいて、ゲートウェイ装置Ｓ-ＧＷは、受信した「Ｐｒｏｘｙ  Ｂｉｎｄｉｎｇ  Ａｃｋｎｏｗｌｅｄｇｅｍｅｎｔ」内に「Ｏ  Ｆｌａｇ設定情報」が含まれていない場合、移動局ＵＥに対して、ＲＡの「Ｏ  Ｆｌａｇ」によって、ＤＨＣＰ要求信号を用いてＤＮＳｖ６アドレスを取得するように指示してもよい。
【００９３】
本実施形態の第２の特徴は、ゲートウェイ装置Ｓ-ＧＷが、移動局ＵＥによって送信された接続要求を受信した場合に、ゲートウェイ装置Ｐ-ＧＷに対して、「Ｐｒｏｘｙ  Ｂｉｎｄｉｎｇ  Ｕｐｄａｔｅ」を送信する工程Ａと、ゲートウェイ装置Ｐ-ＧＷが、ゲートウェイ装置Ｓ-ＧＷに対して、受信した「Ｐｒｏｘｙ  Ｂｉｎｄｉｎｇ  Ｕｐｄａｔｅ」に対する「Ｐｒｏｘｙ  Ｂｉｎｄｉｎｇ  Ａｃｋｎｏｗｌｅｄｇｅｍｅｎｔ」を送信する工程Ｂと、ゲートウェイ装置Ｓ-ＧＷが、受信した「Ｐｒｏｘｙ  Ｂｉｎｄｉｎｇ  Ａｃｋｎｏｗｌｅｄｇｅｍｅｎｔ」内にＤＮＳｖ６アドレスが含まれている場合に、移動局ＵＥに対して、ＲＡの「Ｏ  Ｆｌａｇ」によって、ＤＨＣＰ要求信号を用いてＤＮＳｖ６アドレスを取得する必要がないと指示する工程Ｃとを有することを要旨とする。
【００９４】
本実施形態の第３の特徴は、ゲートウェイ装置Ｐ-ＧＷであって、ゲートウェイ装置Ｓ-ＧＷから、「Ｐｒｏｘｙ  Ｂｉｎｄｉｎｇ  Ｕｐｄａｔｅ」を受信するように構成されているＰｒｏｘｙ  Ｂｉｎｄｉｎｇ  Ｕｐｄａｔｅ受信部（所定信号受信部）１１と、「Ｐｒｏｘｙ  Ｂｉｎｄｉｎｇ  Ｕｐｄａｔｅ」の受信に応じて、ゲートウェイ装置Ｓ-ＧＷに対して、移動局ＵＥに対してＤＮＳｖ６アドレスを割り当てたか否かについて示す「Ｏ  Ｆｌａｇ設定情報」を含む「Ｐｒｏｘｙ  Ｂｉｎｄｉｎｇ  Ａｃｋｎｏｗｌｅｄｇｅｍｅｎｔ」を送信するように構成されているＰｒｏｘｙ  Ｂｉｎｄｉｎｇ  Ａｃｋｎｏｗｌｅｄｇｅｍｅｎｔ送信部（応答信号送信部）１２とを具備することを要旨とする。
【００９５】
本実施形態の第４の特徴は、ゲートウェイ装置Ｓ-ＧＷであって、移動局ＵＥによって送信された接続要求を受信した場合に、ゲートウェイ装置Ｐ-ＧＷに対して、「Ｐｒｏｘｙ  Ｂｉｎｄｉｎｇ  Ｕｐｄａｔｅ」を送信するように構成されているＰｒｏｘｙ  Ｂｉｎｄｉｎｇ  Ｕｐｄａｔｅ送信部（所定信号送信部）２２と、ゲートウェイ装置Ｐ-ＧＷから受信した「Ｐｒｏｘｙ  Ｂｉｎｄｉｎｇ  Ｕｐｄａｔｅ」に対する「Ｐｒｏｘｙ  Ｂｉｎｄｉｎｇ  Ａｃｋｎｏｗｌｅｄｇｅｍｅｎｔ」内に含まれる「Ｏ  Ｆｌａｇ設定情報」によって移動局ＵＥに対してＤＮＳｖ６アドレスを割り当てたことが示されている場合に、移動局ＵＥに対して、ＲＡの「Ｏ  Ｆｌａｇ」によって、ＤＨＣＰ要求信号を用いてＤＮＳｖ６アドレスを取得する必要がないと指示するように構成されているＲＡ送信部（指示部）２５とを具備することを要旨とする。
【００９６】
本実施形態の第４の特徴において、ＲＡ送信部２５は、受信した「Ｐｒｏｘｙ  Ｂｉｎｄｉｎｇ  Ａｃｋｎｏｗｌｅｄｇｅｍｅｎｔ」内に「Ｏ  Ｆｌａｇ設定情報」が含まれていない場合、移動局ＵＥに対して、ＲＡの「Ｏ  Ｆｌａｇ」によって、ＤＨＣＰ要求信号を用いてＤＮＳｖ６アドレスを取得するように指示するように構成されていてもよい。
【００９７】
本実施形態の第５の特徴は、ゲートウェイ装置Ｓ-ＧＷであって、移動局ＵＥによって送信された接続要求を受信した場合に、ゲートウェイ装置Ｐ-ＧＷに対して、「Ｐｒｏｘｙ  Ｂｉｎｄｉｎｇ  Ｕｐｄａｔｅ」を送信するように構成されているＰｒｏｘｙ  Ｂｉｎｄｉｎｇ  Ｕｐｄａｔｅ送信部１１と、ゲートウェイ装置Ｐ-ＧＷから受信した「Ｐｒｏｘｙ  Ｂｉｎｄｉｎｇ  Ｕｐｄａｔｅ」に対する「Ｐｒｏｘｙ  Ｂｉｎｄｉｎｇ  Ａｃｋｎｏｗｌｅｄｇｅｍｅｎｔ」内にＤＮＳｖ６アドレスが含まれている場合に、移動局ＵＥに対して、ＲＡの「Ｏ  Ｆｌａｇ」によって、ＤＨＣＰ要求信号を用いてＤＮＳｖ６アドレスを取得する必要がないと指示するように構成されているＲＡ送信部２５とを具備することを要旨とする。
【００９８】
なお、上述のゲートウェイ装置Ｓ-ＧＷやゲートウェイ装置Ｐ-ＧＷや移動局ＵＥの動作は、ハードウェアによって実施されてもよいし、プロセッサによって実行されるソフトウェアモジュールによって実施されてもよいし、両者の組み合わせによって実施されてもよい。
【００９９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１００】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ゲートウェイ装置Ｓ-ＧＷやゲートウェイ装置Ｐ-ＧＷや移動局ＵＥ内に設けられていてもよい。また、かかる記憶媒体及びプロセッサは、ディスクリートコンポーネントとしてゲートウェイ装置Ｓ-ＧＷやゲートウェイ装置Ｐ-ＧＷや移動局ＵＥ内に設けられていてもよい。
【０１０１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１０２】
Ｐ-ＧＷ、Ｓ-ＧＷ…ゲートウェイ装置
１１…Ｐｒｏｘｙ  Ｂｉｎｄｉｎｇ  Ｕｐｄａｔｅ受信部
１２…Ｐｒｏｘｙ  Ｂｉｎｄｉｎｇ  Ａｃｋｎｏｗｌｅｄｇｅｍｅｎｔ送信部
１３…ＤＨＣＰ要求信号受信部
１４…ＤＨＣＰ応答信号送信部
２１…接続要求受信部
２２…Ｐｒｏｘｙ  Ｂｉｎｄｉｎｇ  Ｕｐｄａｔｅ送信部
２３…Ｐｒｏｘｙ  Ｂｉｎｄｉｎｇ  Ａｃｋｎｏｗｌｅｄｇｅｍｅｎｔ受信部
２４…接続応答送信部
２５…ＲＡ送信部
【図１】
2011217114.tif 000003
【図２】
2011217114.tif 000004
【図３】
2011217114.tif 000005
【図４】
2011217114.tif 000006
【図５】
2011217114.tif 000007
【図６】
2011217114.tif 000008
【図７】
2011217114.tif 000009
【図８】
2011217114.tif 000010
【図９】
2011217114.tif 000011
【図１０】
2011217114.tif 000012
【図１１】
2011217114.tif 000013
【図１２】
2011217114.tif 000014